(57)【要約】【課題】  排水モード時にポンプ室に空気を吸い込まないようにして、適切に排水ができるポンプ及び食器洗浄機を提供することである。【解決手段】  このポンプは、空気層を含む循環系流路に液体を供給する循環モードと、循環系流路の液体を排水系流路に供給する排水モードからなる二つのモードで運転する。循環モードでは、インペラが正転してポンプ室を流れる液体を循環系流路に供給する。排水モードでは、インペラが反転してポンプ室を流れる液体を排水系流路に供給するが、そのポンプ室を流れる液体の一部を循環系流路へも供給するところに特徴がある。より具体的には、ケーシング６に、排水モード時にポンプ室の液体の流れに逆らって循環用流出部１８、２０へ案内する液体ガイド２６、２０ａ１を設ける。【選択図】  図３
2008163822.tif 000002
【特許請求の範囲】
【請求項１】
空気層を含む循環系流路に液体を供給する循環モードと、該循環系流路の該液体を排水系流路に供給する排水モードからなる二つのモードで運転するポンプであって、
該循環モード時に正転し、該排水モード時に反転するインペラと、
該インペラを収容すると共に、該インペラの回転によって液体が流れる渦巻き状のメイン流路を有し、該メイン流路が該循環系流路及び該排水系流路に連通するケーシングと、
を備え、
該ケーシングは、該循環系流路又は該排水系流路の液体を該メイン流路へ案内するポンプ流入部と、該循環モード時に該メイン流路の液体を該循環系流路に案内する循環用流出部と、該排水モード時に該メイン流路の液体を該排水系流路へ案内するポンプ排水部と、該ポンプ排水部を該循環モード時に閉塞し該排水モード時に開放する切換弁とを備え、
該排水モード時に、該メイン流路を流れる液体の一部を、該循環用流出部を介して該循環系流路へ案内することによって、該循環系流路の液体が該循環用流出部から該メイン流路に逆流するのに伴って、該循環系流路の空気が該循環用流出部から該メイン流路へ流入するのを抑えることを特徴とするポンプ。
【請求項２】
前記ケーシングには、前記排水モード時に前記メイン流路の液体の流れに逆らって前記循環用流出部へ案内する液体ガイドが設けられていることを特徴とする請求項１に記載のポンプ。
【請求項３】
前記循環用流出部は、前記インペラの正転方向前方に配置される第一循環用流出部と後方に配置される第二循環用流出部とからなることを特徴とする請求項１及び２の何れかに記載のポンプ。
【請求項４】
前記メイン流路は、液体の流れ方向に垂直な縦断面の断面積が前記インペラの正転方向に漸次増大して形成され、該断面積が最大の最大流路部に前記循環用流出部が接続され、
前記ケーシングは、該最大流路部と該断面積が最小の最小流路部との間に、両流路部に臨むノーズ部が形成され、
前記液体ガイドは、前記第一循環用流出部と前記第二循環用流出部との境界部に該最大流路に向かって延び、該液体ガイドの先端部が、前記インペラの回転中心を中心点として該ノーズ部の先端を通る仮想円の円周上か又は該仮想円の外側にあることを特徴とする請求項３に記載のポンプ。
【請求項５】
前記メイン流路は、液体の流れ方向に垂直な縦断面の断面積が前記インペラの正転方向に漸次増大する第一メイン流路と、該縦断面の断面積が前記インペラの反転方向に漸次増大する第二メイン流路とを有し、
前記循環用流出部は、該第一メイン流路の該断面積が最大の第一最大流路部に接続され、
前記ケーシングは、該第一最大流路部と該第二メイン流路の該断面積が最大の第二最大流路部との間に、両流路部に臨むノーズ部が形成され、
前記液体ガイドは、前記第一循環用流出部と前記第二循環用流出部との境界部に該第一最大流路部に向かって延び、前記液体ガイドの先端部が、前記インペラの回転中心を中心点として該ノーズ部の先端を通る仮想円の円周上か又は該仮想円の内側にあることを特徴とする請求項３に記載のポンプ。
【請求項６】
前記インペラは、前記ハウジングに収容されたモータによって回転駆動し、
前記モータは、該モータの回転体と静止体との一方に設けられたシャフトが他方に設けられたスリーブに摺動自在に挿入され該シャフトと該スリーブとによって軸受部を構成し、該軸受部の該シャフトと該スリーブとの間に形成される間隙が、前記メイン流路に連通することを特徴とする請求項１乃至５の何れかに記載のポンプ。
【請求項７】
前記切換弁は、前記メイン流路を流れる液流によって回動する機構であることを特徴とする請求項１乃至６の何れかに記載のポンプ。
【請求項８】
食器を液体によって洗浄する食器洗浄機であって、
請求項１乃至７の何れかに記載のポンプと、
該食器を載置する食器トレイと、
該食器に液体を噴射する噴射部と、
当該食器洗浄機内の液体を機外へ排水する機体排水部と、
噴射前及び噴射後の該液体を貯留する貯水部と、
を備え、
前記ポンプは、前記ポンプ流入部が該貯水部に連通し、前記循環用流出部が該噴射部に連通し、前記ポンプ排水部が該機体排水部に連通していることを特徴とする食器洗浄機。
【発明の詳細な説明】
【技術分野】
【０００１】
本発明は、空気層を含む循環系流路に液体を供給する循環モードと、その循環系流路の液体を排水系流路に供給する排水モードからなる二つのモードで運転するポンプ、及びこのポンプを搭載した食器洗浄機に関する。
【背景技術】
【０００２】
図７に示すように、従来の食器洗浄機１００は、食器１０１を置く食器トレイ１０２と、食器１０１に対して横方向に水を噴射する横方向噴射部１０３と、食器１０１に対して縦方向に水を噴射する縦方向噴射部１０４と、洗浄水を貯める貯水部１０５と、洗浄に使用された水を機外へ排水するための機体排水部１０６と、貯水部１０５の水を両噴射部１０３、１０４へ供給、或いは機体排水部１０６へ排水するためのポンプ１０７と、これらを収容する筐体１０８とからなる。ポンプ１０７に対して、両噴射部１０３、１０４、貯水部１０５、及び機体排水部１０６とは各々、所定の配管１０３ａ，１０４ａ、１０５ａ、１０６ａによって接続されている。
【０００３】
この食器洗浄機１００の運転には、食器に向けて水を噴射するために水が循環する循環モードと、使用済みの水など機内の水を機外へ排出する排水モードとがある。循環モードでは、インペラが正転するポンプ１０７によって、貯水部１０５に貯められた水が洗浄水として横方向噴射部１０３と縦方向噴射部１０４へ供給され、両噴射部１０３、１０４から食器１０１に向けて噴射される。噴射された洗浄水は、貯水部１０５に回収され、再度洗浄水として使われる。このように循環モードでは、水は、貯水部１０５、ポンプ１０７、両噴射部１０３、１０４、食器室（食器１０１が収容される空間）、及びそれらをつなぐ各配管１０３ａ、１０４ａ、１０５ａからなる循環系流路を流れる。循環モードが終了すると、貯水部１０５、ポンプ１０７内のポンプ室、及び両噴射部１０３、１０４とポンプ室とをつなぐ噴射部用配管１０３ａ、１０４ａに水（図７の斜線部分）が残る。排水モードにおいては、その循環系流路に残った水を機外へ排水するために、ポンプ１０７のインペラが反転して、その水は、ポンプ１０７の排水部を介して機外へ排水される。排水モードでは、水は、貯水部１０５、ポンプ１０７、機体排水部１０６、及びそれらをつなぐ各配管１０５ａ、１０６ａからなる排水系流路を一方向に流れる（例えば、特許文献１参照。）。
【０００４】
このように、食器洗浄機１００では、上述の循環及び排水の運転モードと、その他に温風が吹き付けられる乾燥モードなどを交えた所定のパターンを繰り返して食器が洗浄される。
【０００５】
【特許文献１】実開平１−１４５３６４号公報
【発明の開示】
【発明が解決しようとする課題】
【０００６】
ところで、上記の食器洗浄機１００は、排水モード時に所望の量の水を排水できない問題があった。この排水が適切に行われないと、ポンプ室や貯水部における残水量が多くなり、その次の循環モード時に使われる洗浄水の清浄度の低下や機内の清浄性の低下の原因となる。
【０００７】
この排水の問題は、上記排水モード時に、図７に示すように噴射用配管１０３ａ、１０４ａの残水が、貯水部１０５の水が十分に排水されていない段階でポンプ室に流れきってしまうため、噴射用配管１０３ａ、１０４ａの空気がポンプ室に吸い込まれた場合に発生する。空気がポンプ室に吸い込まれると、インペラが空気をかみ込んで水流を発生させることができず、適切に排水できなくなる。
【０００８】
本発明は、上記問題に鑑みなされたものであり、その目的とするところは、排水モード時にポンプ室に空気を吸い込まないようにして、適切に排水ができるポンプ及び食器洗浄機を提供することである。
【課題を解決するための手段】
【０００９】
本発明のポンプは、空気層を含む循環系流路に液体を供給する循環モードと、循環系流路の液体を排水系流路に供給する排水モードからなる二つのモードで運転する。循環モードでは、インペラが正転してポンプ室を流れる液体を循環系流路に供給する。排水モードでは、インペラが反転してポンプ室の液体を排水系流路に供給するが、そのポンプ室を流れる液体の一部を循環系流路へも供給するところに特徴がある。このように液体が流れるようにすることにより、排水モード時に、循環系流路の途中にある空気層の空気をポンプ室に吸い込むのを防止することができる。その結果、インペラ反転時に、ポンプ室への空気の流入を防止できるため、インペラはポンプ室の液体を適切にかき込むことができる。
【００１０】
また、本発明の食器洗浄機は、上記ポンプを備えたものであって、排水モード時に適切に水流が発生し排水系流路の水を適切に機外へ排水できる。
【００１１】
より具体的には、請求項１のポンプでは、空気層を含む循環系流路に液体を供給する循環モードと、該循環系流路の該液体を排水系流路に供給する排水モードからなる二つのモードで運転するポンプであって、該循環モード時に正転し、該排水モード時に反転するインペラと、該インペラを収容すると共に、該インペラの回転によって液体が流れる渦巻き状のメイン流路を有し、該メイン流路が該循環系流路及び該排水系流路に連通するケーシングと、を備え、該ケーシングは、該循環系流路又は該排水系流路の液体を該メイン流路へ案内するポンプ流入部と、該循環モード時に該メイン流路の液体を該循環系流路に案内する循環用流出部と、該排水モード時に該メイン流路の液体を該排水系流路へ案内するポンプ排水部と、該ポンプ排水部を該循環モード時に閉塞し該排水モード時に開放する切換弁とを備え、該排水モード時に、該メイン流路を流れる液体の一部を、該循環用流出部を介して該循環系流路へ案内することによって、該循環系流路の液体が該循環用流出部から該メイン流路に逆流するのに伴って、該循環系流路の空気が該循環用流出部から該メイン流路へ流入するのを抑えることを特徴とする。
【００１２】
請求項２のポンプでは、前記ケーシングには、前記排水モード時に前記メイン流路の液体の流れに逆らって前記循環用流出部へ案内する液体ガイドが設けられていることを特徴とする。
【００１３】
請求項３のポンプでは、前記循環用流出部は、前記インペラの正転方向前方に配置される第一循環用流出部と後方に配置される第二循環用流出部とからなることを特徴とする。
【００１４】
請求項４のポンプでは、前記メイン流路は、液体の流れ方向に垂直な縦断面の断面積が前記インペラの正転方向に漸次増大して形成され、該断面積が最大の最大流路部に前記循環用流出部が接続され、前記ケーシングは、該最大流路部と該断面積が最小の最小流路部との間に、両流路部に臨むノーズ部が形成され、前記液体ガイドは、前記第一循環用流出部と前記第二循環用流出部との境界部に該最大流路に向かって延び、該液体ガイドの先端部が、前記インペラの回転中心を中心点として該ノーズ部の先端を通る仮想円の円周上か又は該仮想円の外側にあることを特徴とする。
【００１５】
請求項５のポンプでは、前記メイン流路は、液体の流れ方向に垂直な縦断面の断面積が前記インペラの正転方向に漸次増大する第一メイン流路と、該縦断面の断面積が前記インペラの反転方向に漸次増大する第二メイン流路とを有し、前記循環用流出部は、該第一メイン流路の該断面積が最大の第一最大流路部に接続され、前記ケーシングは、該第一最大流路部と該第二メイン流路の該断面積が最大の第二最大流路部との間に、両流路部に臨むノーズ部が形成され、前記液体ガイドは、前記第一循環用流出部と前記第二循環用流出部との境界部に該第一最大流路部に向かって延び、前記液体ガイドの先端部が、前記インペラの回転中心を中心点として該ノーズ部の先端を通る仮想円の円周上か又は該仮想円の内側にあることを特徴とする。
【００１６】
請求項６のポンプでは、前記インペラは、前記ハウジングに収容されたモータによって回転駆動し、前記モータは、該モータの回転体と静止体との一方に設けられたシャフトが他方に設けられたスリーブに摺動自在に挿入され該シャフトと該スリーブとによって軸受部を構成し、該軸受部の該シャフトと該スリーブとの間に形成される間隙が、前記メイン流路に連通することを特徴とする。
【００１７】
請求項７のポンプでは、前記切換弁は、前記メイン流路を流れる液流によって回動する機構であることを特徴とする。
【００１８】
請求項８の食器洗浄機では、食器を液体によって洗浄する食器洗浄機であって、
請求項１乃至７の何れかに記載のポンプと、該食器を載置する食器トレイと、
該食器に液体を噴射する噴射部と、当該食器洗浄機内の液体を機外へ排水する機体排水部と、噴射前及び噴射後の該液体を貯留する貯水部と、を備え、前記ポンプは、前記ポンプ流入部が該貯水部に連通し、前記循環用流出部が該噴射部に連通し、前記ポンプ排水部が該機体排水部に連通していることを特徴とする。
【発明の効果】
【００１９】
本発明のポンプは、排水モードに時にポンプ室の液体を適切に排水できる。本発明の食器洗浄機は、排水モード時に機内の水を適切に排水できる。
【発明を実施するための最良の形態】
【００２０】
本発明に係るポンプ及びこれを備えた食器洗浄機の一実施形態について、図１乃至６を参照して説明する。
【００２１】
本実施形態の食器洗浄機は、図７に示す従来の食器洗浄機１００と基本構造は同じであって、循環モードと排水モードの二つの運転モードがある。食器に水を噴射する噴射部は、縦方向と横方向に二つある。また、ポンプは、それら運転モードに対応するために正逆回転し、それら噴射部に対応するために、ポンプからそれら噴射部に水を供給するための流出部を二つ備える。以下に、そのポンプ及び食器洗浄機の詳細構造について説明する。
【００２２】
図１乃至３に示すように、ポンプ２は、水に水流を発生するためのインペラ４がケーシング６内のポンプ室８に収容されている。インペラ４は、正逆回転するモータ部１０と、水を掻き込むブレード部１２を備え、モータ部１０によって正転又は反転の何れにも回転する。モータ部１０は、静止体に設けられたシャフト１１ａが回転体に設けられたスリーブ１１ｂに摺動自在に挿入され、このシャフト１１ａの外周面とスリーブ１１ｂの内周面とによって軸受部が構成されている。この軸受部のシャフト１１ａとスリーブ１１ｂとの間に形成される間隙はポンプ室８に連通することから、ポンプ室８を流れる水がこの間隙にも進入し、水が軸受部の潤滑流体となる。
【００２３】
ポンプ室８には、インペラ４の周囲に水が流れる渦巻き状のメイン流路１４がある。このケーシング６には、後述する食器洗浄機の貯水部の水をポンプ室８に案内するポンプ流入部１６と、ポンプ室８の水を食器洗浄機の後述する二つの洗浄用噴射部へ案内する第一及び第二循環用流出部１８，２０と、ポンプ室８の水を食器洗浄機の機体排水部に案内するポンプ排水部２２と、そのポンプ排水部２２を開閉する切換弁２４を備えている。
【００２４】
切換弁２４は、ポンプ室８を流れる水流によって矢印Ｙ１で示すように回動駆動する機構であって、インペラ正転（図１の時計回り）時にポンプ排水部２２を閉塞し、インペラ反転（図１の反時計回り）時に開放する。つまり、食器洗浄機の循環モード時では、第一及び第二循環用流出部１８、２０からポンプ室８の水を吐出するために、インペラ４を正転させることによって切換弁２４がポンプ排水部２２を閉塞する。排水モード時では、ポンプ排水部２２からポンプ室の８の水を吐出するために、インペラ４を反転させることによって切換弁２４がポンプ排水部２２を開放する。
【００２５】
このように、ポンプ２は、流入部１６からポンプ室８に取り込まれた水を第一及び第二循環用流出部１８，２０と、ポンプ排水部２２の何れから吐出するかを、インペラ４の回転方向によって切り換えることができる。
【００２６】
次に、図５に示す本形態の食器洗浄機１は、図７の従来の食器洗浄機１００のポンプ１０７に換えて上記ポンプ２を備え、それ以外の構成は実質的に同じである。そのため、図５の食器洗浄機は、図７と同一符号の部位は同機能をなすものとして相違点を中心に説明する。
【００２７】
図５の食器洗浄機１において、横方向噴射部１０３は、噴射部用配管１０３ａを介してポンプ２の第一循環用流出部１８に接続され、縦方向噴射部１０４は、噴射用配管１０４ａを介してポンプ２の第二循環用流出部２０に接続され、機体排水部１０６は、排水用配管１０６ａを介してポンプ排水部２２に接続され、さらに貯水部１０５は、吸水用配管１０５ａを介してポンプ２の流入部１６に接続されている。この食器洗浄機１における循環系流路は、貯水部１０５、ポンプ１、両噴射部１０３、１０４、食器室（食器１０１を収容する空間）、及び各配管１０３ａ、１０４ａ、１０５ａからなる。この循環系流路では、食器室が空気層に相当する。排水系流路は、貯水部１０５、ポンプ１、機体排水部１０６、及び各配管１０５ａ、１０６ａからなる。この食器洗浄機１の運転は、基本的には従来の食器洗浄機１００と同じであるが、ポンプ２が異なるため排水モード時の水の流れ方が異なる。その詳細な相違点は、ポンプ２の水の流れ方と関連付けて後述する。
【００２８】
ところで、ポンプ２は、排水モード時における第一及び第二循環用流出部１８、２０の水が、インペラ４の反転時にメイン流路１４を流れる水に吸い込まれて、第一及び第二循環用流出部１８、２０内の空気又は第一及び第二循環用流出部１８、２０に接続された噴射用配管１０３ａ、１０４ａ内の空気をメイン流路１４に取り込まないように、インペラ４の反転時にメイン流路１４を流れる水の一部を第一及び第二循環用流出部１８、２０へ吐出する構造であって、排水モード時において第一及び第二循環用流出部１８、２０を介してポンプ室８に空気を吸い込まない特徴がある。
【００２９】
以下に、この特徴部分を中心に図４を用いて説明する。図４において、メイン流路１４は、インペラ４とこれの外周部に対向するポンプ室８の内周面８ａ及びポンプ室８の上下面と間に形成される空間であって、メイン流路１４を流れる水の流れ方向に垂直な縦断面の断面積がインペラ４の正転方向に漸次増大して形成されている。図４では、ポンプ室内周面８ａの始点ｐ１に対応する縦断面の断面積ｄ１が最小となり、この始点ｐ１からインペラ４の正転方向に約１００度の範囲θ１までを最小流路１４ａと定義する。ポンプ内周面８ａの終点ｐ２に対応する縦断面の断面積ｄ２が最大となり、この終点ｐ２からインペラ４の正転方向に約６０度の範囲θ２を最大流路１４ｂと定義する。終点ｐ２は、ポンプ室内周面８ａが曲面から平坦面に変わる接続点である。最小流路１４ａと最大流路１４ｂとの間には、最小流路１４ａと最大流路１４ｂの各々に臨む鋭角状に突出するノーズ部１４ｃが形成されている。
【００３０】
その最大流路１４ｂには、インペラ正転方向前方に第一循環用流出部１８、インペラ正転方向後方に第二循環用流出部２０がそれぞれ形成されている。第一及び第二循環用流出部１８、２０は、メイン流路１４とこれらに接続される各噴射用配管１０３ａ，１０４ａとの間を貫通する筒状部分である。第一及び第二循環用流出部１８，２０の境界部には、板状の液体ガイド２６が最大流路１４ｂ中に延在して設けられている。
【００３１】
液体ガイド２６は、直線状に延在する第二循環用流出部２０に平行であって、かつ直線状に延在する第一循環用流出部１８に対して閉塞する方向を向いている。さらに、液体ガイド２６の先端部は、インペラ４の回転中心を中心点としてノーズ部１４ｃの頂点（ポンプ室内周面８ａの始点ｐ１に同じ）を通る仮想円ｃ１よりも外側の部位まで延在している。より詳細には、液体ガイド２６の先端部は、その仮想円ｃ１のノーズ部１４ｃの始点ｐ１における仮想接線ｃ２まで延在している。これにより、第一循環用流出部１８の最大流路１４ｂ側には、ノーズ部１４ｃと液体ガイド２６によって区切られる案内流路１４ｂ１が形成される。
【００３２】
次に、このポンプ２及び食器洗浄機１の循環及び排水モードの運転について説明する。循環モード時では、ポンプ１のインペラ４が正転して、水は循環系流路を流れる。詳細には、メイン流路１４の水は、正転方向に流れ、第一及び第二循環用流出部１８，２０を介して横方向噴射部１０３及び縦方向噴射部１０４から食器１０１に向けて噴射される。切換弁２４は、正転方向に流れる水流によってポンプ排水部２２を閉塞する。噴射後の水は貯水部１０５に回収されて、再度、ポンプ２によって食器１０１に噴射される。
【００３３】
排水モード時では、ポンプ１のインペラ４が反転して、水は排水系流路を流れる。詳細には、メイン流路１４の水は、反転方向に流れ、貯水部１０５から流入部１６を介して取り込まれ、この反転方向に流れる水流によって切換弁２４が回動しポンプ排水部２２が開放され、ここから排水される。
【００３４】
特に、排水モード時には、メイン流路１４の最小流路１４ａから最大流路１４ｂを反転方向に通過する水の一部が、液体ガイド２６の側壁面に遮られて、案内流路１４ｂ１から第一循環用流出部１８へ案内される。第一循環用流出部１８に案内された水は、噴射用配管１０３ａを介して横方向噴射部１０３から吐出する（図５参照）。このようにして、排水モード時に、メイン流路１４から第一循環用流出部１８を介してケーシング外部に向かって水が押し込まれることによって、横方向噴射部１０３及び噴射用配管１０３ａから第一循環用流出部１８を介してポンプ室８内に空気が吸い込まれるのを防止できる。
【００３５】
同様に、メイン流路１４の最小流路１４ａから最大流路１４ｂを反転方向に通過する水の一部は、液体ガイド２６の反対側の側壁面に対向するポンプ内周面８ａの平坦状壁面２０ａ１に遮られて、第二循環用流出部２０を介して噴射用配管１０４ａに案内される。つまりこの平坦状壁面２０ａ１は、液体ガイド２６と同じように作用する。噴射用配管１０４ａに案内された水は、縦方向噴射部１０４から吐出する（図５参照）。このようにして、排水モード時に、メイン流路１４から第二循環用流出部２０を介してケーシング外部に向かって水が押し込まれることによって、縦方向噴射部１０４及び噴射用配管１０４ａから第二循環用流出部１０４を介してポンプ室８内に空気が吸い込まれるのを防止できる。
【００３６】
つまり、このポンプ１は、排水モード時に、排水系流路を流れる水の一部を、循環系流路へ流して、第一及び第二循環用流出部１８、２０からの空気の吸い込みを防止している。
【００３７】
排水モード時において、第一及び第二循環用流出部１８，２０からの空気の吸い込みが無いため、インペラ４はポンプ室８の水に十分な水流を発生させることができ、円滑に排水を行うことができる。ポンプ室８の水を円滑に排水できるようになると、貯水部１０５の水も円滑に排水することができる。このようにして、このポンプ２は、排水モード終了時におけるポンプ室８及び貯水部１０５の残水量を少なくできる。
【００３８】
排水モード時において、第一及び第二循環用流出部１８、２０から吐出された水は、両噴射部１０３、１０４から吐出され、貯水部１０５へ回収される。この貯水部１０５の水は、流入部１６から再度ポンプ室８へ取り込まれる。つまり、排水用の水の一部が第一及び第二循環用流出部１８，２０から貯水部１０５及びポンプ室８を循環しながら、その他の水が徐々にポンプ排水部２２から排水される。
【００３９】
ところで、上記液体ガイド２６及びポンプ内周面８ａの平坦状壁面２０ａ１は、インペラ反転時に流れる水の一部を、第一及び第二循環用流出部１８，２０へ案内することによって、空気の吸い込みを防止できれば、その形状や延在長さ等は上記構成に限定されるものではない。
【００４０】
上記液体ガイド２６は、上記仮想接線ｃ２まで延在する長さとすることで、案内流路１４ｂ１の周方向の開口幅ｅ１（図３参照）が十分に確保されている。そのため、インペラ正転時に正転方向に流れる水を妨げることなく円滑に第一循環用流出部１８へ案内することができる。つまり、上記液体ガイド２６は、循環モード時に両循環用流出部１８，２０への水の流通性を損なうことなく、排水モード時における空気の吸い込みを防止することができる。また、この構成では、最小流路１４ａがノーズ部１４ｃの頂点から形成されているため、その液体ガイド２６を設けたとしても、正転方向に最小流路１４ａから最大流路１４ｂまでの流通距離をより長く確保でき、揚程性能を最大にできる。
【００４１】
一方で、排水モード時により多くの水を第一循環用流出部１８側へ案内して押し込み圧を大きくする必要がある場合や、案内流路１４ｂ１の周方向開口幅ｅ１を十分に確保できる場合などにおいては、液体ガイド２６を、例えば、仮想円ｃ１まで延在させたり、液体ガイド２６の先端が案内流路１４ｂ１の内側に向くように液体ガイド２６を傾けるようにして、反転方向に流れる水に対する抵抗が大きくなるようにするとよい。第二循環用流出部２０についても、ポンプ内周面８ａの平坦状壁面２０ａ１を内側に傾けるとよい。
【００４２】
また、上記最小流路１４ａは、渦巻き状のメイン流路１４の始点ｐ１から始まっているが、ノーズ部１４ｃのインペラ４側に対向する側壁面の一部を図６の点ｐ３から反転方向に約３０度の範囲θ３を、縦断面の断面積が漸次増大するように削除して、この最小流路１４ａが点ｐ３から正転方向に範囲θ３に構成してもよい。この場合、メイン流路１４は、点ｐ３から正転方向に縦断面の断面積が漸次増大する第一メイン流路と、点ｐ３から反転方向に縦断面の断面積が漸次増大する第二メイン流路とからなる。液体ガイド２６のポンプ室８側の先端部は、ノーズ部１４ｃ’の頂点を通る仮想円ｃ３の内側であって仮想円ｃ１の外側に位置する。これにより、インペラ反転時にノーズ部１４ｃ’のインペラ４側の側壁面に沿って流れる水が液体ガイド２６へ案内され易くなり、より多くの水を第一循環用流出部１８へ送ることができる。これらノーズ部１４ｃ、１４ｃ’の頂点は、共に鋭角となっているが、アール曲面とすることにより、ノーズ部１４ｃ、１４ｃ’のインペラ４側の側壁面に沿って流れる水を、案内流路１４ｂ１側の側壁面へ円滑に案内できる。このようにノーズ部の形状を変更することでも、第一循環用流出部１８へ吐出する水の押し込み圧を大きくすることができる。
【００４３】
また、上記ポンプ２は、二つの噴射部１０３、１０４に個別に接続するために第一及び第二循環用流出部１８，２０を備える構成であるが、一つ又は三つ以上の循環用流出部を備える構成であっても適用することができる。
【００４４】
さらに、上記ポンプ２は、上述したように排水が円滑にできることによって、次のような効果も得られる。即ち、排水モード時において空気の吸い込みが防止できるため、モータ部１０の軸受部に空気が混入してシャフト１１ａとスリーブ１１ｂとの異常摩擦を発生しにくくでき、モータ部１０を長寿命化できる。また、ポンプ室８及び貯水部１０５の残水量を少なくできるため、ポンプ室８及び食器洗浄機１の機内を衛生的に保つことができるとともに、ポンプ室８などの水が流れる部位の腐食などの発生を防止できる。また、切換弁２４は、排水モード時における空気の吸い込みがないため、排水モードから循環モードに切り換わる際に、水流を十分に切換弁２４へ伝えることができ、切換弁２４を円滑に動作させることができる。このようにポンプ２の性能向上に伴って、食器洗浄機１も性能が向上する。
【００４５】
以上、本発明の一実施形態について説明したが、本発明の範囲はこれに限定されるものではない。例えば、上記ポンプ２は、食器洗浄機向けの場合を例示したが、洗濯機等の吸排水を必要とする他の機器への適用も可能である。
【図面の簡単な説明】
【００４６】
【図１】本発明の一実施形態に係るポンプの内部構造を示す平面図。
【図２】図１に示すポンプの断面図。
【図３】図１に示すポンプのケーシングの一部を示す斜視図。
【図４】図１に示すポンプの内部構造の要部を拡大した平面図。
【図５】本発明の一実施形態に係る食器洗浄機の内部構造を模式的に示す断面図。
【図６】本発明の一実施形態を変形したポンプの変形例の内部構造を示す平面図。
【図７】従来の食器洗浄機の内部構造を模式的に示す断面図。
【符号の説明】
【００４７】
１、１００  食器洗浄機
２  ポンプ
４  インペラ
６  ケーシング
８  ポンプ室
１０  モータ部
１２  ブレード部
１４  メイン流路
１６  流入部
１８  第一循環用流出部
２０  第二循環用流出部
２０ａ１  平坦状壁面
２２  ポンプ排水部
２４  切換弁
２６  液体ガイド
【図１】
2008163822.tif 000003
【図２】
2008163822.tif 000004
【図３】
2008163822.tif 000005
【図４】
2008163822.tif 000006
【図５】
2008163822.tif 000007
【図６】
2008163822.tif 000008
【図７】
2008163822.tif 000009